(57)【要約】【課題】掃除機本体の集塵部に吸込んだ塵埃を掃除機本体外の集塵部に塵埃を移送する掃除機で、集塵性能の向上を図ること。【解決手段】塵埃を吸引する吸込部７と、吸い込んだ塵埃を集塵する集塵部６と、吸込部７と集塵部６をつなぐ通路８と、掃除機本体１外に設けた集塵箱１７と、集塵部６と集塵箱１７をつなぐ連結路１６とを備え、通路８と連結路１６を別々の経路にする構成とすることにより、集塵性能を向上させることができる。【選択図】　図１
2004057650.tif 000002
【特許請求の範囲】
【請求項１】
塵埃を吸引する吸込部と吸引風を発生する電動送風機と前記吸引した塵埃を集塵する集塵部を有する掃除機本体において、前記吸込部と前記集塵部を連通させる吸引通路と、前記掃除機本体外の集塵箱と前記掃除機本体内の集塵部を連通させる連結路をそれぞれ有する電気掃除機。
【請求項２】
塵埃を吸引する吸込部と吸引風を発生する電動送風機と前記吸引した塵埃を集塵する集塵部を有する掃除機本体において、前記吸込部と前記集塵部を連通させる吸引通路と、前記吸引通路から分岐され前記掃除機本体外の集塵箱と前記掃除機本体内の集塵部を連通させる連結路を有し、前記吸引通路と前記集塵箱とは、前記吸引通路と前記連結路間弁機構を介して設けた連結路とを備え、前記弁機構の動作により連通する構成とした電気掃除機。
【請求項３】
塵埃を吸引する吸込部と、風を発生する電動送風機および吸い込んだ塵埃を集塵する集塵部を有する掃除機本体と、前記吸込部と前記集塵部をつなぐ通路と、掃除機本体外に設けた集塵箱とを備え、前記集塵部と前記集塵箱とをつなぐ通路の径を前記通路の径と同じにして前記通路と共用にする構成とした電気掃除機。
【請求項４】
集塵部を本体上部に、電動送風機を本体下部に設ける構成とした請求項１〜３のいずれか１項に記載の電気掃除機。
【請求項５】
集塵部を本体下部に、電動送風機を本体上部に設ける構成とした請求項１〜３のいずれか１項に記載の電気掃除機。
【請求項６】
集塵箱をスケルトンにする構成とした請求項１〜３のいずれか１項に記載の電気掃除機。
【請求項７】
集塵箱を紙パック方式とした請求項１〜３のいずれか１項に記載の電気掃除機。
【請求項８】
集塵箱の大きさを集塵部の大きさより大きくする構成とした請求項１〜３のいずれか１項に記載の電気掃除機。
【請求項９】
集塵部の位置を集塵箱の位置よりも上方に位置させる構成とした請求項１または２に記載の電気掃除機。
【請求項１０】
集塵箱の位置を掃除機本体の後方に位置させる構成とした請求項１または２に記載の電気掃除機。
【請求項１１】
集塵箱の位置を掃除機本体の横に位置させる構成とした請求項１または２に記載の電気掃除機。
【請求項１２】
集塵部と通路とを結合する結合部Ａを前記集塵部の接線方向とし、かつ、前記集塵部と連結路とを結合する結合部Ｂを前記通路と同じ側の接線方向に位置する構成とした請求項１記載の電気掃除機。
【請求項１３】
集塵部と通路とを結合する結合部Ａを前記集塵部の接線方向とし、かつ、前記集塵部と連結路とを結合する結合部Ｂを前記通路と直交する接線方向に位置する構成とした請求項１記載の電気掃除機。
【請求項１４】
集塵部と通路とを結合する結合部Ａの高さを、前記集塵部と連結路とを結合する結合部Ｂの高さより上方に位置する構成とした請求項１記載の電気掃除機。
【請求項１５】
集塵部と通路とを結合する結合部Ａの断面積を、前記集塵部から連結路に結合する結合部Ｂの断面積より小さくする構成とした請求項１記載の電気掃除機。
【請求項１６】
集塵部の底面に結合部Ｂ側を低くするように傾斜をもたせる構成とした請求項１記載の電気掃除機。
【請求項１７】
集塵箱に移送用電動送風機を設ける構成とした請求項１〜３のいずれか１項に記載の電気掃除機。
【請求項１８】
集塵部の電動送風機より集塵箱の移送用電動送風機の出力を大きくし、前記集塵部の大きさを前記集塵箱より大きくした請求項１または請求項２に記載の電気掃除機。
【請求項１９】
風の流れを変更する流路変更弁を設け、前記流路変更弁を電気的に動作させることにより吸込部から集塵部に塵埃を送り込む気流と、前記集塵部から集塵室箱に塵埃を送り込む気流とを変更する構成とした請求項１〜３のいずれか１項に記載の電気掃除機。
【請求項２０】
風の流れを変更する内部通路ユニットを備え、前記内部通路ユニットを機械的に動作させることにより吸込部から集塵部に塵埃を送り込む気流と、前記集塵部から集塵室箱に塵埃を送り込む気流とを変更する構成とした請求項１〜３のいずれか１項に記載の電気掃除機。
【請求項２１】
集塵部と通路とを結合する結合部Ｃを集塵部の接線方向に設ける構成とした請求項２または３に記載の電気掃除機。
【請求項２２】
集塵部と通路とを結合する結合部Ｃを集塵部の中央に設ける構成とした請求項２または３に記載の電気掃除機。
【請求項２３】
集塵部と通路とを結合する結合部Ｃを集塵部の下方に設ける構成とした請求項２または３に記載の電気掃除機。
【請求項２４】
集塵部と通路とを結合する結合部Ｃを集塵部の上方に設ける構成とした請求項２または３に記載の電気掃除機。
【請求項２５】
集塵部の底面の結合部Ｃ側を低くするように傾ける構成とした請求項２または３に記載の電気掃除機。
【請求項２６】
掃除機本体内の集塵部が掃除機本体外の集塵箱の上方に位置する構成とした請求項３記載の電気掃除機。
【請求項２７】
掃除機本体を載置する置き台の載置部を、掃除機本体に内蔵した充電池を充電する充電台として用いる構成とした請求項１〜２６のいずれか１項に記載の電気掃除機。
【発明の詳細な説明】
【０００１】
【発明の属する技術分野】
本発明は、一般家庭用の電気掃除機に関するものである。
【０００２】
【従来の技術】
従来、この種の電気掃除機としては、特許公報第２５８３９７６号に示されているようなものがあった。図２０および図２１は前記公報に記載された従来の電気掃除機を示す。
【０００３】
図において、二次電池１０１を備えた吸引ユニット体１０２の電動送風機１０３により、塵埃を通路１０８に通して、吸引ユニット体１０２の集塵部１０４に吸引し、主電気掃除機１０５に吸引ユニット体１０２をセットして、吸引ユニット体１０２内の塵埃を通路１０８に通して、主電気掃除機１０５の電動送風機１０６により集塵部１０７に移送することである。
【０００４】
通常は、ホース１１０により主電気掃除機１０５と吸引ユニット体１０２はつながれて掃除を行っている。補助電気掃除機１０９をつけることにより吸引ユニット体１０２で掃除をすることができ、簡単な掃除をすることができる。
【０００５】
【発明が解決しようとする課題】
しかし、上記構成では、集塵性能を上げるのに回転ブラシを用いて塵埃を被掃除面よりかきあげて吸込むことが主流であるのに、塵埃を吸込む通路１０８と、塵埃を移送する通路１０８が同じでは、回転ブラシが塵埃の移送で邪魔であり、回転ブラシを付けることができず、集塵性能が良くないという問題があった。
【０００６】
特に、二次電池１０１を備えた吸引ユニット体１０２は、主電気掃除機１０５と異なり吸込み力が弱いため、回転ブラシを設けて集塵性能を向上させるのが一般的で有った。
【０００７】
また、吸込み通路の径が小さい方より径の大きい方へ塵埃を移動させるのが普通であるのに対して、塵埃を吸込む通路１０８と塵埃を移送する通路１０８が同じであるため、径大より径小へ塵埃が進みゴミ詰まりが発生しやすくなるという問題があった。
【０００８】
また、吸引ユニット体１０２を、主電気掃除機１０５の上にセットするため背が高くなり不安定であるという問題があった。
【０００９】
本発明はこれらの課題を解決するもので、使用性の向上、集塵性能の向上、安定性の向上、品質の向上を図ることを目的とする。
【００１０】
【課題を解決するための手段】
前記従来の課題を解決するために、本発明の電気掃除機は、掃除機本体内に設けた塵埃を吸引する吸込部と吸い込んだ塵埃を集塵する集塵部をつなぐ通路と、前記集塵部と掃除機本体外に設けた集塵箱とをつなぐ連結路とを別々に設ける構成とした。
【００１１】
この構成により、集塵通路が専用の通路となるため、吸込部に回転ブラシを設けることができる。また、本体外の集塵箱への塵埃の移行を一方向にすることができ、通路の径の小さい側から径の大きい方へゴミを移動することができ、ゴミ詰まりを無くすことができる。
【００１２】
【発明の実施の形態】
請求項１記載の発明は、塵埃を吸引する吸込部と、風を発生する電動送風機および吸い込んだ塵埃を集塵する集塵部を有する掃除機本体と、前記吸込部と前記集塵部をつなぐ通路と、前記掃除機本体外に設けた集塵箱と、前記集塵部と前記集塵箱をつなぐ連結路とを備え、前記通路と前記連結路を別々の経路にする構成としたことにより、吸込部に回転ブラシを設けることができ、集塵性能の向上を図り、本体外の集塵部への塵埃の移動を一方向にすることができ、通路の径の小さい側から径の大きい方へゴミを移動することができるのでゴミ詰まりがなく使用性および品質を良くすることができる。
【００１３】
請求項２記載の発明は、塵埃を吸引する吸込部と、風を発生する電動送風機および吸い込んだ塵埃を集塵する集塵部を有する掃除機本体と、前記吸込部と前記集塵部をつなぐ通路と、前記掃除機本体外に設けた集塵箱と、前記通路と前記集塵箱との間に弁機構を介して設けた連結路とを備え、前記弁機構の動作により前記集塵部と前記集塵箱とが連結する構成としたことにより、吸込部に回転ブラシを設けることができ、また、集塵部に設ける通路を一つにすることができ、本体外の集塵箱を本体下部だけでなく、いかなる場所にでも設けることができ、性能が良く、低コストでデザイン性にあふれ、使い勝手を良くすることができる。
【００１４】
請求項３記載の発明は、塵埃を吸引する吸込部と、風を発生する電動送風機および吸い込んだ塵埃を集塵する集塵部を有する掃除機本体と、前記吸込部と前記集塵部をつなぐ通路と、掃除機本体外に設けた集塵箱とを備え、前記集塵部と前記集塵箱とをつなぐ通路の径を前記通路の径と同じにして前記通路と共用にする構成としたことにより、部品点数を削減して、低コストで、本体外の集塵箱の設置面積を少なくし、ゴミ詰まりのない、品質のよいものにすることができる。
【００１５】
請求項４記載の発明は、集塵部を本体上部に、電動送風機を本体下部に設けたことにより、集塵部が使用者に近くなり、使用者による集塵部の取り外しを容易にし、また、電動送風機の位置が下方にあるため使用者の手元にかかる力を軽くすることができ、使用性を良くすることができる。
【００１６】
請求項５記載の発明は、集塵部を本体下部に、電動送風機を本体上方に設けたことにより、電動送風機の位置が上方であるため、重心の位置が手元近くにあり、持ち運びのし易く、階段、棚、家具などの掃除をし易くすることができる。
【００１７】
請求項６記載の発明は、集塵箱をスケルトンにしたことにより、集塵箱内に塵埃が入ったか、あるいはどれだけ溜まったかを確認することができ使い勝手を良くすることができる。
【００１８】
請求項７記載の発明は、集塵箱を紙パック方式にしたことにより、塵埃の捕獲を確実なものとし、細塵を外部に出さずに、かつ、ゴミ捨て時に塵埃の埃が舞い上がらない品質のよいものにすることができる。
【００１９】
請求項８記載の発明は、集塵箱の大きさを集塵部の大きさより大きくすることにより、本体の塵埃を１回分だけではなく、数回分溜めることができ、ゴミ捨てを簡単にして、また、常に本体の集塵部に塵埃がない状態で使用することができ性能が低下しにくくすることができる。
【００２０】
請求項９記載の発明は、集塵部の位置を集塵箱の位置よりも上方に位置するようにすることにより、集塵部に溜まった塵埃を集塵箱に移動させやすくしゴミ詰まりを無くすことができる。
【００２１】
請求項１０記載の発明は、集塵箱の位置を掃除機本体の後方に位置させることによって、掃除機を使用しない場合に、掃除機本体が集塵箱を隠して塵埃の溜まった状態を直接見せないようにすることができるので、清潔でデザイン的にもきれいにまとめあげることができる。
【００２２】
請求項１１記載の発明は、集塵箱の位置を掃除機本体の横に位置させることによって、掃除機本体を設置しても集塵部が見えて集塵部内に溜まった塵埃を確認でき、使い勝手を良くすることができる。
【００２３】
請求項１２記載の発明は、集塵部と通路とを結合する結合部Ａを、集塵部の接線方向とし、かつ、集塵部と連結路とを結合する結合部Ｂを前記通路と同じ側の接線方向に位置したことにより、集塵部へ入った塵埃が集塵部の外郭に沿って回転し集塵部に溜まり、集塵箱へは溜まった塵埃を溜まった奥側から移動することができ、ゴミ詰まりのない品質の良いものにすることができる。
【００２４】
請求項１３記載の発明は、集塵部と通路とを結合する結合部Ａを、集塵部の接線方向とし、かつ、前記集塵部と連結路とを結合する結合部Ｂを前記通路と直交する接線方向に位置したことにより、集塵部へ入った塵埃が集塵部の外郭に沿って回転し集塵部に溜まり、集塵箱へは溜まった塵埃をほどくように移動することができ、ゴミ詰まりのない品質の良いものにすることができる。
【００２５】
請求項１４記載の発明は、集塵部と通路とを結合する結合部Ａの高さを、前記集塵部と連結路とを結合する結合部Ｂの高さより上方に位置したことにより、塵埃が集塵部に入ってから集塵部の外郭に沿って旋回し、重量物が下に堆積し、軽いものは旋回し続け、集塵部から集塵箱に塵埃が移動するには、塵埃が出やすいようにつなぎの位置を低くして、性能確保と、ゴミ詰まりのない品質の良いものにすることができる。
【００２６】
請求項１５記載の発明は、集塵部と通路とを結合する結合部Ａの断面積を、前記集塵部と連結路とを結合する結合部Ｂの断面積より小さくしたことにより、前記集塵部に入った塵埃がより出て行きやすくなり、つなぎでのゴミ詰まりをなくし、品質のよいものにすることができる。
【００２７】
請求項１６記載の発明は、集塵部の底面に前記結合部Ｂ側を低くするように傾斜をもたせたことにより、前記集塵部に入った塵埃がより出て行きやすくなり、つなぎでのゴミ詰まりをなくし、品質のよいものにすることができる。
【００２８】
請求項１７記載の発明は、掃除機本体に電動送風機を有し、集塵箱に移送用電動送風機を設けたことにより、複雑な弁機構を設けずに安価で、塵埃の移行性能をよくすることができる。
【００２９】
請求項１８記載の発明は、集塵部の電動送風機より集塵箱の移送用電動送風機の出力を大きくし、前記集塵部の大きさを前記集塵箱より大きくしたことにより、ゴミを捨てるのに埃が立ちにくく清潔であり、また、集塵箱の設置面積を小さくすることができ使い勝手を良くすることができる。
【００３０】
請求項１９記載の発明は、掃除機本体内に風を発生する電動送風機と、風の流れを変更する流路変更弁とを設け、前記流路変更弁を電気的に動作させることにより、吸込部から集塵部に塵埃を送り込む気流と、前記集塵部から集塵箱に塵埃を送り込む気流とを変更する構成とすることにより、集塵箱の形状を小さくすることができる。
【００３１】
請求項２０記載の発明は、掃除機本体内に風を発生する電動送風機と、風の流れを変更する内部通路ユニットとを備え、前記内部通路ユニットを機械的に動作させることにより吸込部から集塵部に塵埃を送り込む気流と、前記集塵部から集塵室箱に塵埃を送り込む気流とを変更する構成としたことにより、集塵箱の形状を小さくすることができる。
【００３２】
請求項２１記載の発明は、集塵部と通路とを結合する結合部Ｃを集塵部の接線方向に設けたことにより、塵埃が集塵部の内壁に沿って旋回して重量物が、下に、軽いものが上に集塵部に溜まり、性能を良くすることができる。
【００３３】
請求項２２記載の発明は、集塵部と通路とを結合する結合部Ｃを集塵部の中央に設けたことにより、集塵箱を本体の後方に設けることを容易にし、デザイン性をよくすることができる。
【００３４】
請求項２３記載の発明は、集塵部と通路とを結合する結合部Ｃを集塵部の下方に設けたことにより、塵埃を集塵部から集塵箱に移動しやすくして、ゴミ詰まりのない品質の良いものにすることができる。
【００３５】
請求項２４記載の発明は、集塵部と通路とを結合する結合部Ｃを集塵部の上方に設けたことにより、集塵部から塵埃を捨てるのに、持ち運び時に集塵部からゴミこぼれのない使い勝手の良いものにすることができる。
【００３６】
請求項２５記載の発明は、集塵部の底面の前記結合部Ｃ側を低くするように傾けたことにより、塵埃が通路に流れ込みやすく、ゴミ詰まりのない品質の良いものにすることができる。
【００３７】
請求項２６記載の発明は、掃除機本体内の集塵部が掃除機本体外の集塵箱の上方に位置したことにより、集塵部内の塵埃が集塵箱に入り込みやすくして、ゴミ詰まりのない、品質の良いものにすることができる。
【００３８】
請求項２７記載の発明は、掃除機本体を載置する置き台の載置部を、掃除機本体に内蔵した充電池を充電する充電台として用いる構成とすることにより、充電池は集塵部の塵埃を集塵箱に移送する時に、常に充電されることとなり初期の性能を低下させることなく、性能の良いものにすることができる。
【００３９】
【実施例】
以下、本発明の実施例について、図面を参照しながら構成を説明する。
【００４０】
（実施例１）
図１は本発明の実施例１における電気掃除機の縦断面図で、置き台に掃除機本体を載置した状態を示している。図２は同電気掃除機の斜視図で、置き台より掃除機本体を取り出した状態を示している。また、図３は同電気掃除機の要部分解斜視図である。
【００４１】
図１に示すように、電気掃除機は掃除機本体１と、床ノズル２と、置き台３と、通路８および連結路１６とより構成されている。そして、掃除機本体１は上部に集塵部６と、中央部に内部通路ユニット１４と下部に電動送風機５とを備え、床ノズル２は内部に電動機（図示せず）により回転する回転ブラシ４を備えている。また、置き台３は掃除機本体１を載置する載置部１５と集塵部６からの塵埃などを集積する集塵箱１７とを一体として設けている。もちろん集塵箱を分離独立させて設けてもよい。
【００４２】
以下、図１ないし図３に基づいて構成を詳細に説明する。集塵部６は床ノズル２の吸込部７から回転ブラシ４によりかきだした塵埃を、通路８を通して捕獲する機能を有している。そして、集塵部６は上部部材９と下部部材１０とで外郭が構成されている。上部部材９の側面には通路８と結合するための結合部Ａ１３および置き台３との連結路１６と結合するための結合部Ｂ１９とが設けられている。また、下部部材１０の中央部には内部に塵埃が入らないように開口にネット２０を取り付けた吸気パイプ１２が設けられている。さらに、下部部材１０には、塵埃が吸気パイプ１２を塞がないように集塵部６と通路８を結合する結合部Ａ１３の高さより低くならないようにしてある。また、下部部材１０の下にはフィルタ１１が設けられ、電動送風機５からの吸気がフィルタ１１を通って下部部材１０に作用するように構成されている。
【００４３】
なお、上部部材９をスケルトンにすることにより、塵埃がどれだけ溜まったかを確認できるようにすることができる。また、集塵部６を着脱自在とすることにより、掃除機本体１から外して塵埃を捨てることができるようにすることができる。
【００４４】
集塵部６と電動送風機５の間に隔壁Ａ２３、内部通路ユニット１４、隔壁Ｂ２４が配置され、ここで電動送風機５の風の流れを下部部材１０からと連結路１６とからに変更している。
【００４５】
内部通路ユニット１４は、図３に示すように構成されている。隔壁Ａ２３、隔壁Ｂ２４は、掃除機外殻に固定されており、孔が１箇所づつ設けてある。さらに、集塵部６側に２本の通路があり、１本は、略Ｌ字状のパイプ２５で側面と繋がっている通路であり、もう１本は、電動送風機５側に繋がるものである。
【００４６】
掃除機本体１の一方の側面には、外気取りこみの孔２８があり、反対の側面には、置き台３の吸気取り入れ口２９と合う連通管３０が設けてある。
【００４７】
また、内部通路ユニット１４には、先端に重り２７が付いたワイヤー２６を取り付けてあり、置き台３には、重り２７を上に押し上げるための棒３１を設けている。そして位置決めを設けることにより、重り２７と棒３１との位置関係を確実なものとしている。
【００４８】
通常掃除を行っている場合には、電動送風機５の吸気により下部部材１０を通して集塵部６に吸引力がかかる。
【００４９】
掃除が終わって掃除機本体１を置き台３にセットすると、内部通路ユニット１４が動き集塵部６に捕獲された塵埃が連結路１６を通過して集塵箱１７に移送される。
【００５０】
結合部Ｂ１９の先には逆止弁１８が設けてあり、掃除中は閉まっており、置き台３にセットされ集塵箱１７から吸引がかかると開くようになっている。また、置き台３の内部には、集塵箱１７が設けてあり、取っ手２１を掴んで置き台３より引き出して塵埃を捨てることができる構成としている。
【００５１】
また、ハンドル２２を持って掃除、移動を行う。
【００５２】
上記構成において、動作を説明すると、電動機４により回転ブラシ４が回転して被掃除面より塵埃をかきだす。この塵埃を電動送風機５により集塵部６に捕獲する。この時塵埃は通路８を通り、結合部Ａ１３を通過して集塵部６に捕獲される。また、内部通路ユニット１４は、隔壁Ａ２３と隔壁Ｂ２４の孔を結ぶように構成され、重り２７の付いたワイヤー２６は移動無くこの位置を保っている。下部部材１０の吸気パイプ１２に設けられたネット２０だけでは、細かい塵埃を止めることができずフィルタ１１にて捕獲される。また、結合部Ｂ１９に設けられた逆止弁１８は、集塵部６内部より吸引がかかっているため減圧となり、吸いついて密閉性を保っている。このとき電動送風機５の吸引により発生した気流の流れは下記のようになる。すなわち、床ノズル２の吸い込み部７より吸引された気流は通路８、結合部Ａ１３、集塵部６、吸気パイプ１２、そしてフィルタ１１を横縦断して隔壁Ａ２３の孔、隔壁Ｂ２４の孔を通り電動送風機５に至り、その後外部に排出される。
【００５３】
塵埃を集塵部６に捕獲したままで、掃除が終わったので、置き台３にハンドル２２を握ってセットする。このとき置き台３の棒３１が内部通路ユニット１４に付いているワイヤー２６の先の重り２７を押し上げる。重り２７を押し上げると、ワイヤー２６が押されて内部通路ユニット１４を回転させる。置き台３にセットされると内部通路ユニット１４の略Ｌ字状のパイプ２５がそれぞれ隔壁Ａ２３、隔壁Ｂ２４の孔と合い、集塵部６側の孔は、外気取り込みの孔２８と合い、電動送風機５側の孔は、連通管３０と合う。連通管３０は、置き台３の吸気取り入れ口２９と合いタイトされる。吸気取り入れ口２９は、置き台３の中で集塵箱１７とホース３２で繋がっている。また、結合部Ｂ１９は、連結路１６と合いタイトされている。この状態で、電動送風機５が運転すると、電動送風機５には、外気取り込み孔２８から外気を取り込み、内部通路ユニット１４の略Ｌ字状のパイプ２５を通って、フィルタ１１、吸気パイプ１２、ネット２０、集塵部６、結合部Ｂ１９、連結路１６、集塵箱１７、ホース３２、吸気取り入れ口２９、内部通路ユニット１４の略Ｌ字状のパイプ２５を通り、電動送風機５には入り、排気口よりこの空気を排出し、集塵部６の塵埃を集塵箱１７に移送する。
【００５４】
上記作用は、通常の床ノズル２から集塵部６に至るまでの通路８は、吸込部７が一番径が細く、集塵部６の結合部Ａ１３の径が太くなっていれば塵埃が通路８内で詰まることはなく、また、集塵部６から集塵箱１７までの間で結合部Ｂ１９が一番径が細く、連結路１６が集塵箱１７側で径が太くなっていれば塵埃が詰まることがなくなる。さらに、集塵部６から通路８に結合する結合部Ａ１３の断面積を、集塵部６から連結路１６に結合する結合部Ｂ１９の断面積より小さくして、集塵部６に入るときに塵埃の大きさを規制して、出て行く塵埃は、入ったときよりも大きい径の結合部Ｂ１９を通して、集塵部６から塵埃が出て行きやすくすると、集塵部６に入った塵埃がより出て行きやすくなり、結合部Ｂ１９でのゴミ詰まりをなくし、品質を良くすることができる。
【００５５】
また、回転ブラシ４を動かすことにより塵埃を被掃除面よりかき出し、集塵性能が良いものにすることができる。
【００５６】
また、フィルタ１１には、吸引した時と逆の吸引がかかるためフィルタ１１についた塵埃を取り除いていくためさらに吸い込み性能のよいものにすることができる。
【００５７】
また、掃除機本体１を置き台３にセットすることにより集塵部６にあった塵埃を集塵箱１７に移送でき、集塵部６が空になり、掃除をするたびに塵埃が溜まって吸引性能が通常は、低下するが、毎回塵埃を移送するため初期性能を維持し続け、性能の長持ちするものにすることができる。
【００５８】
さらに、集塵箱１７をスケルトンにすることにより集塵箱１７の取っ手２１を見ることによりどれだけ溜まったかが解り、内部が見えることでインジケータを省けて安価なものとする事ができる。また、塵埃を捨てに行くのも集塵箱１７を使用するため、回数が少なくて使い易くすることができる。
【００５９】
また、本実施例では、集塵部６が掃除機本体１の本体上部３８に設けられ、電動送風機５は本体下部３９に内部通路ユニット１４を挟んで設けられている。この構成では、回転ブラシ４により被掃除面より塵埃をかき出し、通路８を通して集塵部６に捕獲する。この集塵部６内で塵埃が捕獲されるのを使用者はスケルトンにすることにより上から見ているだけでどれだけ溜まったかが解る。このため、掃除途中で塵埃が集塵部６に溜まったのであれば、置き台３にセットして塵埃を集塵部６から集塵箱１７に移送すれば良い。また、ハンドル２２を握って掃除を行うのであるが、電動送風機５の重いものが下方にあるため手元重量が軽くなる。また、集塵部６が使用者に近くなり、使用者による集塵部６の取り外しを容易にし、さらに、電動送風機５の位置が下方にあるため使用者の手元にかかる力を軽くすることができ、使用性の良いものにすることができる。
【００６０】
また、本実施例では、集塵部６に捕獲した塵埃は連結路１６を通って集塵箱１７に移送される。集塵部６は１回の塵埃量が入る程度であり、集塵部６に捕獲された塵埃は集塵箱１７に確実に全て入る必要があるため、集塵箱１７は、集塵部６より大きく、かつ、ある程度溜めておくことができるようにすると良い。この構成では、本体の塵埃を１回分だけではなく、数回分溜めることができ、ゴミ捨てを簡単にし、かつ、常に本体の集塵部に塵埃がない状態で使用することができ性能が低下しにくくすることができる。
【００６１】
また、集塵部６から塵埃を集塵箱１７に移送するのに、集塵部６の高さを集塵箱１７よりも高く構成すると良い。この構成では、重力に沿って塵埃を移送することで効率良く塵埃を移送することができ、使用性がよくなる。
【００６２】
また、置き台３に設けられた集塵箱１７を、掃除機本体１を置き台３にセットした時、集塵箱１７が掃除機本体１の後部に位置するように構成すると良い。この構成では、掃除機を使用しない場合に、掃除機本体１が集塵箱１７を隠して塵埃の溜まった状態を直接見せないようにして、清潔でデザイン的にもきれいにまとめあげることができる。
【００６３】
（実施例２）
図４は本発明の実施例２における電気掃除機の縦断面図で、置き台に掃除機本体を載置した状態を示している。図５は同電気掃除機の斜視図で、置き台より掃除機本体を取り出した状態を示している。なお、上記実施例と同一構成部品には同一の符号を付して説明を省略する。
【００６４】
図において集塵部６に構成されている結合部Ｃ３３には、通路８が合うように設けられている。この通路８の途中に連結路１６が弁機構３４を介して設けられている。弁機構３４は弁体３５とバネ３６により構成されている。通常は、集塵部６に繋がるように通路８が使えるように、弁体３５で連結路１６を閉じている。掃除が終わり置き台３にセットすると置き台３に設けられたリブＡ３７が弁機構３４の弁体３５を動かし、集塵部６から集塵箱１７に繋がる通路ができる。
【００６５】
上記構成において動作を説明すると、回転ブラシ４により被掃除面よりかき出された塵埃は、通路８を通り、弁機構３４が開いている状態で結合部Ｃ３３を通り集塵部６に到達し捕獲される。掃除機本体１を置き台３にセットすると、置き台３のリブＡ３７が掃除機本体１の弁機構３４の弁体３５を動かし捕獲された塵埃を集塵部６から集塵箱１７に移送する。
【００６６】
上記作用は、回転ブラシ４を動かすことにより塵埃を被掃除面よりかき出し、集塵性能が良い電気掃除機を提供することができる。
【００６７】
また、弁機構３４を使うことにより集塵部６と集塵箱１７をつなぐのにより制限のすくないデザイン性にあふれた電気掃除機を提供することができる。
【００６８】
また、通路を兼用することによりコスト低減を図ることができる。
【００６９】
また、集塵部６から通路８に結合される結合部Ｃ３３を集塵部６の上方に設けることにより、集塵部６から塵埃を捨てるにあたって、持ち運び時に集塵部６からゴミこぼれのない使い勝手の良いものにすることができる。
【００７０】
また、集塵部６の底面４２の結合部Ｃ３３側を低くするように傾けたことにより、塵埃が通路８に流れ込みやすく、ゴミ詰まりのない品質の良いものにすることができる。
【００７１】
（実施例３）
図６は本発明の実施例３における電気掃除機の縦断面図である。なお、上記実施例と同一構成部品には同一の符号を付して説明を省略する。
【００７２】
吸込部７から集塵部６に繋がる通路８と集塵部６から集塵箱１７を繋ぐ通路８を同じ通路にし、置き台３の床ノズル２の吸込部７に相対するところに、掃除機本体１をのせてタイトができるようにしてある。また、通常であれば、吸込部７の内径が一番狭く、集塵部６側が、径が大きいのであるが、この通路を共用にしているため吸込部７の径、及び集塵部６側の径を同じに設定している。
【００７３】
上記構成において動作を説明すると、塵埃が床ノズル２の吸込部７から吸込まれ、通路８、結合部Ｃ３３を通過して集塵部６に溜まる。掃除が終了して掃除機本体１を置き台３にセットすると、床ノズル２のタイトができているのと、その内径を吸込部７と結合部Ｃ３３で同じに設定しているので塵埃が詰まることなく集塵部６から集塵箱１７に移送される。
【００７４】
作用としては、通路を共用にして部品点数を削減し、低コストで、本体外の集塵箱１７の設置面積を少なくし、ゴミ詰まりのない、品質のよいものにすることができる。
【００７５】
また、掃除機本体１内の集塵部６が掃除機本体１外の集塵箱１７の上方に位置したことにより、塵埃の移送をしやすくしている。そのため、ゴミ詰まりのない、品質の良いものにすることができる。
【００７６】
（実施例４）
図７は本発明の実施例４における電気掃除機の縦断面図である。なお、上記実施例と同一構成部品には同一の符号を付して説明を省略する。
【００７７】
構成を説明すると、掃除機本体１の本体上部３８に電動送風機５を配し、本体下部３９に集塵部６を構成する。
【００７８】
上記構成において動作を説明すると、回転ブラシ４により被掃除面より塵埃をかき出し、通路８を通して集塵部６に捕獲する。通路８は、集塵部６に繋がっているが、集塵部６が本体下部３９にあるため長さが短くてすむ。また、本体上部３８に電動送風機５があるため手元に近いところに重心があるため持ち運び、階段、家具の上を掃除するのに便利である。
【００７９】
上記構成による作用は、吸込部７から集塵部６までの通路８が短いため通路の圧損、重力が少なく吸込み性能が向上した、また、電動送風機の位置が上方であるため、重心の位置が手元近くにあり、持ち運びのし易い、階段、棚、家具の掃除をし易くすることができる。また、集塵箱１７も集塵部６に合わせて低くすることができ、コンパクトなものにすることができる。
【００８０】
（実施例５）
図８は本発明の実施例５における電気掃除機の縦断面図である。なお、上記実施例と同一構成部品には同一の符号を付して説明を省略する。
【００８１】
本実施例では、置き台３内に紙パック４０を配したことを特徴としている。
【００８２】
上記構成において動作を説明すると、回転ブラシ４により被掃除面より塵埃をかき出し、通路８を通して集塵部６に捕獲する。捕獲した塵埃を置き台３内にある紙パック４０に移送する。紙パック４０の場合には、外からどれだけ塵埃が紙パック４０に溜まっているのか解らないため、インジケーター４１を設けて溜まり具合を確認する。
【００８３】
上記構成では、塵埃の捕獲を確実なものとし、細塵を外部に出さずに、かつ、ゴミ捨て時に塵埃の埃が舞い上がらない品質のよいものにすることができる。
【００８４】
（実施例６）
図９は本発明の実施例６における電気掃除機の斜視図で、掃除機本体を置き台３から取り出した状態を示している。なお、上記実施例と同一構成部品には同一の符号を付して説明を省略する。
【００８５】
本実施例では、置き台３内に設けられた集塵箱１７の位置を、置き台３に掃除機本体１をセットした際に、集塵箱１７が掃除機本体１の横に位置するように構成した。
【００８６】
上記構成では、集塵箱１７の位置を掃除機本体１の横に位置させ、掃除機本体１を設置しても集塵部が見えて集塵部内に溜まった塵埃を確認でき、使い勝手を良くすることができる。
【００８７】
（実施例７）
図１０は本発明の実施例７における電気掃除機の要部斜視図である。なお、上記実施例と同一構成部には同一の符号を付して説明を省略する。また、基本構成は実施例１と同様であるため、図１および２を参照して説明する。
【００８８】
本実施例では、掃除機本体１の集塵部６の結合部Ａ１３を集塵部６の接線方向とし、かつ、集塵部６から連結路１６に結合する結合部Ｂ１９を通路８と同じ側の接線方向に位置するように構成した。
【００８９】
上記構成において動作を説明すると、回転ブラシ４により被掃除面から塵埃をかき出し、この塵埃を通路６、結合部Ａ１３を通し、集塵部６にためる。この時塵埃が集塵部６の外殻内壁に沿って回転する。塵埃の量が増えると、塵埃が固まりになって回転が停止し、さらに塵埃が固まるようになる。
【００９０】
集塵部６に溜まった塵埃を結合部Ｂ１９、連結路１６を通して集塵箱１７に移送する。塵埃が固まった状態というのは、回転方向に対して外殻内壁に押しつけられているのであって、内壁に沿う風を流して、塵埃を動かし集塵箱１７に移送することができる。
【００９１】
上記構成では、集塵部６から通路８に結合する結合部Ａ１３を、集塵部６の接線方向とし、かつ、集塵部６から連結路１６に結合する結合部Ｂ１９を通路８と同じ側の接線方向に位置したことにより、集塵部６へ入った塵埃が集塵部６の外郭に沿って回転し集塵部６に溜まり、集塵箱１７へは溜まった塵埃を溜まった奥側から移動することができ、ゴミ詰まりのない品質の良いものにすることができる。
【００９２】
また、デザイン的にも集塵部６、集塵箱１７に繋がる通路８、連結路１６が掃除機本体１の後部に隠れて綺麗にまとめることができる。
【００９３】
（実施例８）
図１１は本発明の実施例１３における電気掃除機の要部斜視図である。なお、上記実施例と同一構成部には同一の符号を付して説明を省略する。また、基本構成は実施例１と同様であるため、図１および２を参照して説明する。
【００９４】
本実施例では、掃除機本体１の集塵部６の結合部Ａ１３を集塵部６の接線方向とし、かつ、集塵部６から連結路１６に結合する結合部Ｂ１９を通路８と直交する接線方向に位置するように構成した。
【００９５】
上記構成において動作を説明すると、回転ブラシ４により被掃除面から塵埃をかき出し、この塵埃を通路６、結合部Ａ１３を通し、集塵部６にためる。この時塵埃が集塵部６の外殻内壁に沿って回転する。塵埃の量が増えると、塵埃が固まりになって回転が停止し、さらに塵埃が固まるようになる。
【００９６】
集塵部６に溜まった塵埃を結合部Ｂ１９、連結路１６を通して集塵箱１７に移送する。塵埃が固まった状態というのは、回転方向に対して外殻内壁に押しつけられているのであって、内壁に沿い塵埃の塊をほぐすように風を流して、塵埃を動かし集塵箱１７に移送することができる。
【００９７】
上記構成において作用は、集塵部６から通路８に結合する結合部Ａ１３を、集塵部６の接線方向とし、かつ、集塵部６から連結路１６に結合する結合部Ｂ１９を通路と直交する接線方向に位置したことにより、集塵部６へ入った塵埃が集塵部６の外郭に沿って回転し集塵部６に溜まり、集塵箱１７へは溜まった塵埃をほどくように移動することができ、ゴミ詰まりのない品質の良いものにすることができる。
【００９８】
（実施例９）
本発明の実施例９について、図１および図２を用いて説明する。なお、上記実施例と同一構成部品には同一の符号を付し説明を省略する。
【００９９】
本実施例では、集塵部６から通路８に結合する結合部Ａ１３の高さを、集塵部６から連結路１６に結合する結合部Ｂ１９の高さより上方に位置するように構成したこと、また、集塵部６の底面４２に結合部Ｂ１９側を低くするように傾斜をもたせるように構成したことを特徴としている。
【０１００】
上記構成において動作を説明すると、集塵部６から通路８に結合する結合部Ａ１３の高さを、集塵部６から連結路１６に結合する結合部Ｂ１９の高さより上方に位置するように構成したことにより、塵埃が集塵部６に入ると塵埃は集塵部６の外郭に沿って旋回し、重量物が下に堆積し、軽いものは旋回し続けるように塵埃の分離が始まる。このために、結合部Ａ１３は、できるだけ集塵部６の上方に位置するのが好ましいが、吸気パイプ１２のネット２０に塵埃が直接当たらないように位置させる必要がある。そして、集塵部６から集塵箱１７に塵埃が移送されるには、塵埃が出やすいように結合部Ｂ１９の位置を低くし、さらに集塵部６の底面４２に結合部Ｂ１９側を低くするように傾斜をもたせたことにより、集塵部６に入った塵埃がより出て行きやすくしている。
【０１０１】
これにより、塵埃が集塵部６に入ってから集塵部６の外郭に沿って旋回し、重量物が下に堆積し、軽いものは旋回し続け、集塵部６から集塵箱１７に塵埃が移動するには、塵埃が出やすい構成としたので、性能確保と、ゴミ詰まりのない品質の良いものにすることができる。
【０１０２】
（実施例１０）
本発明の実施例１０について、図１２を用いて説明する。なお、上記実施例と同一構成部品には同一の符号を付し説明を省略する。
【０１０３】
本実施例では、掃除機本体１に電動送風機５を有し、置き台３に移送用電動送風機４３を設けたことである。
【０１０４】
上記構成において動作を説明すると、掃除機本体１を置き台３にセットし、集塵部６に入っている塵埃を集塵箱１７に移送するのに、置き台３内に設けられた移送用電動送風機４３に集塵箱１７を吸引することにより移送させることができる。これにより、複雑な機構を設けずに安価で、性能を確保されたものにすることができる。
【０１０５】
また、集塵部６の電動送風機５より集塵箱１７の移送用電動送風機４３の出力を大きくし、集塵箱１７の大きさを集塵部６より小さくすると、集塵箱１７に塵埃が入った時に移送用電動送風機４３により塵埃を圧縮して塵埃をコンパクトな形にすることができる。これにより、塵埃が圧縮され塵埃がゴミを捨てるのに埃が立ちにくく清潔であり、また、外部集塵部の設置面積を小さくすることができ使い勝手の良いものにすることができる。勿論、集塵箱１７の大きさを集塵部６の大きさと同等または大きくしてもよいが全体が大きくなる。
【０１０６】
（実施例１１）
図１３は本発明の実施例１１における電気掃除機の縦断面図、図１４は同電気掃除機の要部分解斜視図、図１５（ａ）は同電気掃除機の要部分解斜視図で、塵埃移送時の状態を示し、図１５（ｂ）は同電気掃除機の要部分解斜視図で、塵埃移送時の状態を示している。また、図１６は同電気掃除機の斜視図である。なお、上記実施例と同一構成部品には同一の符号を付し説明を省略する。
【０１０７】
構成を説明すると、掃除機本体１内の電動送風機５で、吸込部７から集塵部６に塵埃を送りこみ、かつ、流路変更弁４４を電気的に動作させて集塵室Ａ６から集塵室Ｂ１７に塵埃を送りこませるようにした。流路変更弁４４は、弁体Ｂ４５、２セットで十文字のパイプ体４６を開閉させている。
【０１０８】
上記構成において動作を説明すると、内部通路ユニット１４内に十文字のパイプ体４６、弁体Ｂ４５とを備えている。集塵部６に塵埃を送りこむのは、図１５（ｂ）のように十文字のパイプ体４６内で、弁体Ｂ４５が直立して空気の流れを上下方向にして行う。また、塵埃を集塵部６から集塵箱１７に移送するには、掃除機本体１を置き台３にセットして、置き台３の位置決めようの棒３１が弁体Ｂ４５を動かすスイッチ（図示せず）を押し、流路変更弁４４の弁体Ｂ４５を図１５（ａ）のように動かし通路を遮断する。矢印のように空気は流れる。
【０１０９】
そして、掃除機本体１内の電動送風機５だけで、吸込部７から集塵部５に塵埃を送りこみ、かつ、流路変更弁４４を電気的に動作させ集塵部６から集塵箱１７に塵埃を送りこませたことにより、集塵箱１７の形状を小さくすることができ、しかも性能を確保したものにすることができる。
【０１１０】
（実施例１２）
図１７は本発明の実施例１２における電気掃除機の要部斜視図である。なお、上記実施例と同一構成部には同一の符号を付して説明を省略する。
【０１１１】
本実施例では、集塵部６から通路８に結合される結合部Ｃ３３を集塵部６の接線方向に設けたことを特徴としている。
【０１１２】
これにより、塵埃が集塵部６の内壁に沿って分離旋回して溜まり、また、集塵箱１７に塵埃を移送するときには、塵埃が壁に沿って溜まるので、それをほぐすように風を流すと塵埃が固まりから外れ移送することができる。
【０１１３】
そして、塵埃が集塵部６の内壁に沿って旋回して、重量物が下に、軽いものが上に溜まり、塵埃を分離することができ性能の良いものにすることができる。
【０１１４】
（実施例１３）
図１８は本発明の実施例１３における電気掃除機の要部斜視図である。なお、上記実施例と同一構成部には同一の符号を付して説明を省略する。
【０１１５】
本実施例では、吸前記集塵部６から通路８に結合される結合部Ｃ３３を集塵部６の中央に設けたことを特徴としている。
【０１１６】
これにより、集塵箱１７を本体の後方に設けることを容易にし、デザイン性のよいものにすることができる。
【０１１７】
（実施例１４）
本発明の実施例１４について説明する。なお、本実施例の構成は実施例２とほとんど同じであり、異なる点は結合部３３の取付け位置だけなので、説明は図４ないし図６にて説明する。
【０１１８】
本実施例では、集塵部６から通路８に結合される結合部Ｃ３３を集塵部６の下方に設けたことを特徴としている。
【０１１９】
上記構成において動作を説明すると、塵埃を集塵部６から集塵箱１７に移すのに、結合部Ｃ３３を集塵部６の下方に持ってくることにより塵埃が外に出易くしている。そのため、ゴミ詰まりのない品質の良いものにすることができる。
【０１２０】
（実施例１５）
図１９は本発明の実施例１５における電気掃除機の斜視図で、掃除機本体を置き台３より取り出した状態を示している。なお、上記実施例と同一構成部品には同一の符号を付して説明を省略する。
【０１２１】
本実施例では、置き台３の掃除機本体を載置する載置部１５を、掃除機本体１内の充電可能な電池を充電する充電台として用いることを特徴としている。
【０１２２】
上記構成により動作を説明すると、掃除機本体１に設けた充電池を充電するための充電端子４７を載置部１５に設け、掃除機本体１をセットして充電させる構成としている。この構成により、掃除機本体を載置部１５に載置すると、充電池は充電されるために、常に初期状態を維持することができる。そのため、電気掃除機の性能を維持することができ、使用性の良いものとすることができる。
【０１２３】
【発明の効果】
以上のように本発明の請求項１ないし２７に記載の発明によれば、使用性の向上、集塵性能の向上、安定性の向上を図ることができる。
【図面の簡単な説明】
【図１】本発明の実施例１における電気掃除機の縦断面図
【図２】同電気掃除機の斜視図
【図３】同電気掃除機の要部分解斜視図
【図４】本発明の実施例２における電気掃除機の縦断面図
【図５】同電気掃除機の斜視図
【図６】本発明の実施例３における電気掃除機の縦断面図
【図７】本発明の実施例４における電気掃除機の縦断面図
【図８】本発明の実施例５における電気掃除機の縦断面図
【図９】本発明の実施例６における電気掃除機の斜視図
【図１０】本発明の実施例７における電気掃除機の要部斜視図
【図１１】本発明に実施例８における電気掃除機の要部斜視図
【図１２】本発明の実施例１０における電気掃除機の縦断面図
【図１３】本発明の実施例１１における電気掃除機の縦断面図
【図１４】同電気掃除機の要部分解斜視図
【図１５】（ａ）同電気掃除機の要部分解斜視図（ｂ）同電気掃除機の要部分解斜視図
【図１６】同電気掃除機の斜視図
【図１７】本発明の実施例１２における電気掃除機の要部斜視図
【図１８】本発明の実施例１３における電気掃除機の要部斜視図
【図１９】本発明の実施例１５における電気掃除機の斜視図
【図２０】従来の電気掃除機の分解斜視図
【図２１】同電気掃除機の縦断面図
【符号の説明】
１　本体（掃除機本体）
３　置き台
５　電動送風機
６　集塵部
７　吸込部
８　通路
１３　結合部Ａ
１４　内部通路ユニット
１５　載置部
１６　連結路
１７　集塵箱
１９　結合部Ｂ
３３　結合部Ｃ
３４　弁機構
３８　本体上部
３９　本体下部
４０　紙パック
４２　底面
４３　移送用電動送風機
４４　流路変更弁
【図１】
2004057650.tif 000003
【図２】
2004057650.tif 000004
【図３】
2004057650.tif 000005
【図４】
2004057650.tif 000006
【図５】
2004057650.tif 000007
【図６】
2004057650.tif 000008
【図７】
2004057650.tif 000009
【図８】
2004057650.tif 000010
【図９】
2004057650.tif 000011
【図１０】
2004057650.tif 000012
【図１１】
2004057650.tif 000013
【図１２】
2004057650.tif 000014
【図１３】
2004057650.tif 000015
【図１４】
2004057650.tif 000016
【図１５】
2004057650.tif 000017
【図１６】
2004057650.tif 000018
【図１７】
2004057650.tif 000019
【図１８】
2004057650.tif 000020
【図１９】
2004057650.tif 000021
【図２０】
2004057650.tif 000022
【図２１】
2004057650.tif 000023